(57)【要約】【課題】異形状ＩＣ商材の発行を可能とする、異形状のＩＣタグの搬送用治具を提供するにある。【解決手段】無線通信手段と記憶手段とを備えるためＩＣチップとアンテナを内蔵し、読み取り装置からの電磁誘導により電力が供給され、無線通信によりデータが交換される異形状ＩＣタグの搬送冶具であって、前記搬送治具が、剛体部２と異形状ＩＣタグ１０を挿入できるネット１からなる袋状ポケット５を有していることを特徴とする異形状ＩＣタグ用搬送治具３０。【選択図】図１
2014206955.tif 000002
【特許請求の範囲】
【請求項１】
無線通信手段と記憶手段とを備えるためＩＣチップとアンテナを内蔵し、
読み取り装置からの電磁誘導により電力が供給され、無線通信によりデータが交換される異形状ＩＣタグの搬送冶具であって、
前記搬送治具が、剛体部と異形状ＩＣタグを挿入できるネットからなる袋状ポケットを有していることを特徴とする異形状ＩＣタグ用搬送治具。
【請求項２】
前記ネットが、伸縮可能なゴムであることを特徴とする請求項１に記載の異形状ＩＣタグ用搬送治具。
【請求項３】
前記剛体部が、フレーム状であることを特徴とする請求項１または請求項２に記載の異形状ＩＣタグ用搬送治具。
【請求項４】
前記剛体部が、樹脂カードであることを特徴とする請求項１または請求項２に記載の異形状ＩＣタグ用搬送治具。
【請求項５】
前記剛体部の上部及び下部に、袋状ポケットを設けない搬送ロールガイド部を持つことを特徴とする請求項１〜３のいずれか一項に記載の異形状ＩＣタグ用搬送治具。
【発明の詳細な説明】
【技術分野】
【０００１】
カード形状とは異なる、ストラップ形状やリストバンド形状といった異形状ＩＣタグを、カード発行装置によって発行するための異形状ＩＣタグ用搬送治具に関する。
【背景技術】
【０００２】
不揮発メモリと無線通信チップを内蔵した非接触ＩＣ技術が広く使われており、樹脂製のカードとしたものは、非接触ＩＣカードとして、偽造・変造がしにくいセキュリティ性の高いカードとして広く使われている。
【０００３】
その非接触ＩＣカードは、一枚のカードで複数種類のデータを管理することができるため、電子マネーや公共交通機関のプリペイドカード、社員証、学生証、入退室管理のＩＤカードなどの機能を併せ持ったカードを作ることができる。
【０００４】
また、非接触ＩＣカード内のＩＣチップは、読み取り器から発信される電波で電力を受け取って駆動する方式になっているものがあり、カード内には電池やバッテリーなどの電源を持たないため、カードの構造が簡素になり、電池切れで使えないといった事態も発生することが無く、高く評価されている。
【０００５】
非接触ＩＣチップには、データが書き込まれ、チップの中で独立して管理され、個別のアクセス権を設定することが可能で、複数のサービス間で安全な相互運用が可能となっている。
【０００６】
書き込まれるデータとしては、用途必要情報の他、ＩＤなどの個別情報があり、チップはアンテナを解し、読み取り器との間通信が行われるが、ＩＳＯＩＳ１８０９２として国際標準化されており、１３．５６ＭＨｚの電波で通信し、１０ｃｍ程度のごく近距離で１００〜４００ｋｂｐｓの双方向通信が可能となっている。
【０００７】
それによって、ＩＣカード、ＩＣタグを読み取り装置に近づけるだけで、ＩＣ（集積回路）チップに入っているデータのやりとりができる。
【０００８】
発行にあたってのデータとしては、用途の設定や必要情報の書き込みをしたり、鍵を設定する一次発行データと、一次発行されたカードにＩＤなどの個別情報の書き込みをおこなう二次発行データがあり、カード発行装置により、短時間での大量発行が行われる。
【０００９】
一般的にカード発行装置には、カードの磁気テープに、磁気情報を書き込む磁気発行、ＩＣチップに暗号化、復号化と言った設定や必要情報の書き込みをおこなう１次発行、レーザエングレーブ（刻印）、会員番号等の印字、印字が消えないようにするラミネート、クレジツト番号や名前を刻印するエンボス、エンボス上にシールを貼るテッピング、そして、ＩＤなどの個別情報の書き込む二次発行をおこなう機能を持ち、カードを発行装置内を搬送させながら一括処理されている。
【００１０】
カード発行装置は、一般的にカード形状の非接触ＩＣ媒体の発行装置として使用されている。  ＩＣストラップ形状やＩＣリストバンド形状などの異形状と呼ばれるＩＣ商材が存在するが、現行のカード発行装置は、ローラー等の設置位置や、搬送隙間が、カードの形状、厚みに合されているため、カード形状の製品しか搬送ができず、異形状と呼ばれるＩＣ商材の発行には適さない。
【００１１】
異形状のＩＣ商材の一つとして、ＩＣコインがあり、その発行装置が提案されている。しかしながら、ＩＣコインは円盤状であるため、方法性が無く、逆に取り扱いが容易で、搬送に関する問題が無く、ＩＣコイン発行装置は、ＩＣストラップ形状やＩＣリストバンド形状などの異形状と呼ばれるＩＣ商材の発行には適さない（特許文献１）。
【００１２】
よって、異形状製品は、非接触ＩＣカードの発行装置の、二次発行ユニットに、1つ1つを手でかざして、書込みコマンドを手作業で起動することで発行をしており、手間と時間がかかっている。
【先行技術文献】
【特許文献】
【００１３】
【特許文献１】特開２００５−１３５２３３号公報
【発明の概要】
【発明が解決しようとする課題】
【００１４】
本発明は、上記問題に鑑みて成されたものであり、異形状ＩＣ商材の発行を可能とする、異形状のＩＣタグの搬送用治具を提供するにある。
【課題を解決するための手段】
【００１５】
上記の課題を解決するための手段として、請求項１に記載の発明は、無線通信手段と記憶手段とを備えるためＩＣチップとアンテナを内蔵し、
読み取り装置からの電磁誘導により電力が供給され、無線通信によりデータが交換される異形状ＩＣタグの搬送冶具であって、
前記搬送治具が、剛体部と異形状ＩＣタグを挿入できるネットからなる袋状ポケットを有していることを特徴とする異形状ＩＣタグ用搬送治具である。
【００１６】
また、請求項２に記載の発明は、前記ネットが、伸縮可能なゴムであることを特徴とする請求項１に記載の異形状ＩＣタグ用搬送治具である。
【００１７】
また、請求項３に記載の発明は、前記剛体部が、フレーム状であることを特徴とする請求項１または請求項２に記載の異形状ＩＣタグ用搬送治具である。
【００１８】
また、請求項４に記載の発明は、前記剛体部が、樹脂カードであることを特徴とする請求項１または請求項２に記載の異形状ＩＣタグ用搬送治具である。
【００１９】
また、請求項５に記載の発明は、前記剛体部の上部及び下部に、袋状ポケットを設けない搬送ロールガイド部を持つことを特徴とする請求項１〜３のいずれか一項に記載の異形状ＩＣタグ用搬送治具である。
【発明の効果】
【００２０】
本発明により、従来の異形状製品は、非接触ＩＣカードの発行装置の、二次発行ユニットに、1つ1つを手でかざして、書込みコマンドを手作業で起動することで発行をしていたためにかかっていた、時間や労力の無駄を、カード発行機を用いて、削減することが可能となる。
【図面の簡単な説明】
【００２１】
【図１】本発明の、剛体からなるフレームとネットからなる袋状ポケットを有する異形状ＩＣタグ用搬送治具の示した模式概念図である。
【図２】本発明の、樹脂カードとネットからなる袋状ポケットを有する異形状ＩＣタグ用搬送治具の示した模式概念図である。
【図３】本発明の、剛体部の上部及び下部に、袋状ポケットを設けない搬送ロールガイド部を設けた異形状ＩＣタグ用搬送治具の示した模式概念図である。
【図４】本発明の、剛体部に設けられた搬送ロールガイド部と搬送ロールとの関係を示した模式概念図である。
【発明を実施するための形態】
【００２２】
以下本発明を実施するための形態を、図面を用いて詳細に説明する。剛体からなるフレームとネットからなる袋状ポケット有した異形状ＩＣタグ用搬送治具を示しており、治具の搬送は、図４に示した搬送ロールが、剛体からなるフレームの上部及び下部に接して、搬送ロールの回転により、次工程に運ばれる。
【００２３】
剛体は、リーダーライタで異形状のＩＣタグに、後に読み書きを行うため、非金属の媒体から形成されていることが好ましい。これは剛体が金属である場合、電磁波の影響によって読み書きが行われない場合があるからである。また、剛体にはネットや袋などのＩＣタグを挿入するための袋状の物体が取り付けられ、その中に異形状ＩＣタグがセットされる。このとき、ネットの素材としては、非金属材料で形成されていることが好ましく、紐や樹脂等から形成される袋である。中でも、伸縮可能なゴムが好適であり、ゴムの伸縮により、異形状ＩＣタグが固定され、搬送時に動いてしまうことを防ぐことができる。
剛体及び異形状タグの厚みについては、カード発行の各装置に引っかからない程度の厚みであることが求められるが、この厚みは使用している装置によって異なるため、不具合が生じない程度の厚みであることが求められる。
【００２４】
図２は剛体として、カードを用いたもので、カードにネットが取り付けられ、袋状になり、その中に異形状ＩＣタグがセットできる。
【００２５】
図３は、剛体部の上部及び下部に、袋状ポケットを設けない搬送ロールガイド部を設けた異形状ＩＣタグ用搬送治具を示しており、搬送ロールが剛体部の上部及び下部の搬送ロールガイド部にのみ接するので、袋状ポケット内に異形状ＩＣタグが入り、ネットが膨れた状態となっても、搬送に支障をきたすことが無い。
また、当然のことであるが、カード発行機にて異形状のタグを発行するため、発行前の機構については止めておき、素通りさせることが好適といえる。
【００２６】
異形状タグに対し書き込みを行う工程では、書き込みの機構に異形状タグが送られてきたことを判断するセンサーが付与されている。このセンサーには、赤外線、光、超音波等様々なセンサーの適用が可能である。これによって、異形状タグに対して書き込みが行われる。
【符号の説明】
【００２７】
１・・・ネット
２・・・剛体部
３・・・樹脂カード
４・・・搬送ロールガイド部
５・・・袋状ポケット
６・・・搬送ロール
１０・・・異形状ＩＣタグ
２０・・・ＩＣコイン
３０・・・異形状ＩＣタグ用搬送治具
【図１】
2014206955.tif 000003
【図２】
2014206955.tif 000004
【図３】
2014206955.tif 000005
【図４】
2014206955.tif 000006